(57)【要約】【課題】包装用容器の側壁部を容易に切り離して裏面に文字メッセージ等を読むことができる包装用容器を提供する。【解決手段】包装用容器１０は側壁部１１ａ〜１１ｄと、底蓋部１３と、糊代部１８と、を備える。糊代部１８と側壁部１１ａとの間の直線状の折り曲げ線Ｌ４が包装用容器１０の角部に相当する。折り曲げ線Ｌ４よりも側壁部１１ａ側に、該角部から突出し得る突起２０の先端に相当する切れ込み１９を有する。かつ、切れ込み１９の一方の端部に接続する第１のミシン目２１と、切れ込み１９の他方の端部に接続する第２のミシン目２２とを有する。【選択図】図１
2017030820.tif 000002
【特許請求の範囲】
【請求項１】
側壁部と、
該側壁部の下端に接続された底蓋部と、
該側壁部の一方の側端に接続され、該側壁部の他方の側端の裏面に接合される糊代部と、
を備える包装用容器であって、
該糊代部と該側壁部との間の直線状の折り曲げ線が該包装用容器の角部に相当し、
該折り曲げ線よりも該側壁部側に、該角部から突出し得る突起の先端に相当する切れ込みを有し、かつ、
該切れ込みの一方の端部に接続する第１のミシン目と、該切れ込みの他方の端部に接続する第２のミシン目とを、該糊代部に有する、
ことを特徴とする包装用容器。
【請求項２】
前記糊代部における前記第１のミシン目と前記第２のミシン目との間の領域に、前記側壁部の裏面と接合する接合材が形成され、当該領域以外の領域には該接合材が形成されていない請求項１記載の包装用容器。
【請求項３】
前記第１のミシン目及び前記第２のミシン目のうちの少なくとも一方は、前記切れ込みに接続し前記折り曲げ線上に延びる第１直線部と、該第１直線部に接続し、該第１直線部の延伸方向に対して傾いた方向に延びる第２直線部とを有する請求項１又は２記載の包装用容器。
【請求項４】
前記側壁部の頂端に接続された上蓋部を更に備える請求項１〜３のいずれか１項に記載の包装用容器。
【請求項５】
前記側壁部、糊代部及び底蓋部が、一枚のシートよりなる請求項１〜４のいずれか１項に記載の包装用容器。
【請求項６】
前記包装用容器が、組み立て前に扁平状に折り畳み可能である請求項１〜５のいずれか１項に記載の包装用容器。
【発明の詳細な説明】
【技術分野】
【０００１】
本発明は、薬品、化粧品等の容器を包装する包装用容器に関する。
【背景技術】
【０００２】
薬品や化粧品を収納した容器は、紙やプラスチック等からなる包装用容器に入れて工場から出荷、輸送され、店頭で展示、販売される。包装用容器は、商品名や、法律上の表示義務に従って又はＰＬ法に沿って成分、効能の説明、注意書きや、宣伝文句などの文字メッセージの記載があり、また、店頭において需要者の注意を惹くために着色等の装飾が施されている。これらの記載や装飾は通常、包装用容器の素材に印刷することによって行われている。
また、包装用容器内に、説明書を折り畳んで入れることも行われている。
【０００３】
包装用容器の表面に記載する文字メッセージの量は、当該包装用容器の大きさ、特に包装用容器の側壁部の面積によって制限される。そのため文字メッセージの記載量を多くしたい要望があっても、十分に応えることは難しかった。また、包装用容器内に、説明書を折り畳んで入れることは、説明書を別途用意したり、当該説明書を折り畳んで包装用容器内に入れたりする手間が必要であり、コスト増加を招いていた。
【０００４】
そのため包装用容器を組み立てたときに当該容器の内側に相当する面、すなわち裏面に文字メッセージ等を印刷した包装用容器がある。もっとも、そのような包装用容器の裏面に記載された文字メッセージをユーザが見る際には、ユーザが包装用容器を展開する必要がある。
【０００５】
ユーザが包装用容器を展開するのを容易にした包装用容器に関して、立方体の組み立て形状を有する包装用容器の側壁部の一つの角部に、ミシン目を当該側壁部の上端から下端にわたって直線状に形成した包装用容器がある。ミシン目は例えば側壁部の一方の側端と糊代部との境界線に沿って形成されている。このような包装用容器を展開するには、側壁部の上端の一部を摘んで、上記ミシン目に沿って側壁部と糊代部とを切り離すようにしている。しかしながら、ミシン目に沿って側壁部の上端から下端までにわたって側壁部と糊代部とを直線的に切り離すことができるとは限られず、ユーザの力の入れ具合によってはミシン目から外れて、意図しない方向に、例えば裏面に記載された文字メッセージを横切るように包装用容器が破れることがあり、文字メッセージが読み難いことがあった。
【発明の概要】
【発明が解決しようとする課題】
【０００６】
本発明は、上記の問題を有利に解決するものであり、包装用容器の側壁部を容易に切り離して裏面に文字メッセージ等を読むことができる包装用容器を提供することを目的とする。
【課題を解決するための手段】
【０００７】
本発明の包装用容器は、側壁部と、該側壁部の下端に接続された底蓋部と、該側壁部の一方の側端に接続され、該側壁部の他方の側端の裏面に接合される糊代部と、を備える包装用容器であって、該糊代部と該側壁部との間の直線状の折り曲げ線が該包装用容器の角部に相当し、該折り曲げ線よりも該側壁部側に、該角部から突出し得る突起の先端に相当する切れ込みを有し、かつ、該切れ込みの一方の端部に接続する第１のミシン目と、該切れ込みの他方の端部に接続する第２のミシン目とを、該糊代部に有する、ことを特徴とする。
【０００８】
本発明の包装用容器においては、上記糊代部における上記第１のミシン目と上記第２のミシン目との間の領域に、上記側壁部の裏面と接合する接合材が形成され、当該領域以外の領域には該接合材が形成されていない構成とすることができる。また、上記第１のミシン目及び上記第２のミシン目のうちの少なくとも一方は、上記切れ込みに接続し上記折り曲げ線上に延びる第１直線部と、該第１直線部に接続し、該第１直線部の延伸方向に対して傾いた方向に延びる第２直線部とを有することが好ましい。更に、本発明の包装用容器においては、上記側壁部の頂端に接続された上蓋部を更に備える構成とすることができる。また更に、本発明の包装用容器においては、上記側壁部、糊代部及び底蓋部が、一枚のシートよりなることが好ましく、組み立て前に扁平状に折り畳み可能であることも好ましい。
【発明の効果】
【０００９】
本発明によれば、包装用容器の側壁部と糊代部とを容易に切り離して包装用容器を展開し、裏面に記載された文字メッセージ等を読むことができる。
【図面の簡単な説明】
【００１０】
【図１】本発明の一実施形態の包装用容器の展開図である。
【図２】図１の包装用容器の斜視図である。
【発明を実施するための形態】
【００１１】
本発明の包装用容器の実施形態を、図面を用いてより具体的に説明する。
本実施形態の包装用容器は、包装用容器の裏面、なかでも側壁部の裏面に、説明書に相当する文字メッセージを、記載することが可能な包装用容器である。裏面に記載することにより、表面の記載と合わせて文字メッセージ量を増加させることができる。また、説明書を別途用意する必要がないので、コスト増加や梱包時の作業の手間も抑制できる。裏面に記載された文字メッセージ等を読むことができるように、本実施形態の包装用容器は、以下に説明するように容易に展開できるようにしている。
【００１２】
図１に展開図で、図２に斜視図でそれぞれ示す本発明の一実施形態の包装用容器１０は、略直方体の外形を有している。この包装用容器１０は、第１側壁部１１ａ、第２側壁部１１ｂ、第３側壁部１１ｃ及び第４側壁部１１ｄからなる四つの側壁部により囲まれた四角形断面を有している。第１側壁部１１ａと第２側壁部１１ｂとは折り曲げ線Ｌ１により区分されている。第２側壁部１１ｂと第３側壁部１１ｃとは、折り曲げ線Ｌ２により区分されている。第３側壁部１１ｃと第４側壁部１１ｄとは、折り曲げ線Ｌ３により区分されている。本実施形態では、第１側壁部１１ａ、第２側壁部１１ｂ、第３側壁部１１ｃ及び第４側壁部１１ｄがほぼ同じ幅である、略正方形の横断面形状を有している。もっとも、本発明の包装用容器は、横断面形状が略正方形や長方形、ひし形等の四角形に限定されるものではなく、三角形、五角形等の多角形であってもよい。また、第１側壁部１１ａ、第２側壁部１１ｂ、第３側壁部１１ｃ及び第４側壁部１１ｄの一部に開口を有し、この開口に透光性樹脂フィルムが貼着されて、透光性樹脂フィルムを通して内容物を確認することができるようにしてもよい。
【００１３】
これらの側壁部のうちのいずれか一つの側壁部に上蓋部１２が設けられている。図示した本実施形態において上蓋部１２は第３側壁部１１ｃの上縁に接続して設けられている。この上蓋部１２は、第３側壁部１１ｃと接続する縁部と反対側の縁部に接続して舌部１２ａが設けられている。上蓋部１２は、展示用の吊り下げ部分を形成する部分を有していてもよい。
【００１４】
また、これらの側壁部のうちのいずれか一つの側壁部に、底蓋部１３が設けられている。図示した本実施形態において底蓋部１３は第１側壁部１１ａの下端に接続して設けられている。この底蓋部１３における第１側壁部１１ａと接続する縁部と反対側の縁部に接続して、舌部１３ａが設けられている。
【００１５】
更に、図示した本実施形態では、第３側壁部１１ｃにそれぞれ隣接する第２側壁部１１ｂ及び第４側壁部１１ｄの上縁に接続して、それぞれ中蓋部１４、１５が設けられ、また、これら第２側壁部１１ｂ及び第４側壁部１１ｄの下縁に接続して、それぞれ中蓋部１６、１７が設けられている。
【００１６】
第１側壁部１１ａの側端に接続して、糊代部１８が設けられている。第１側壁部１１ａと糊代部１８との間は折り曲げ線Ｌ４により直線状に折り曲げられる。なお、折り曲げ線Ｌ１〜Ｌ４は、山折りにして組み立ててもよいし、谷折りにして組み立ててもよい。
この糊代部１８は、第１側壁部１１ａ〜第４側壁部１１ｄを、折り曲げ線Ｌ１〜Ｌ４に沿って折り曲げて箱型の容器に組み立てたときに、第４側壁部１１ｄの裏面（容器の内部空間に向かう面を「裏面」という。）に重ね合わせされた状態で接する部分である。糊代部１８の表面及び第４側壁部１１ｄの裏面のいずれか一方又は両方に糊等の接合材を少なくとも部分的に付着させ、糊代部１８の表面と第１側壁部１１ａの裏面とを重ね合わせて押圧することにより、糊代部１８と第１側壁部１１ａとが接着される。糊等の接合材による接着の代わりに、両面粘着テープによる粘着をしてもよい。
【００１７】
糊代部１８と第１側壁部１１ａとの間の直線状の折り曲げ線が、包装用容器１０の角部に相当する。この糊代部１８と第１側壁部１１ａとの間の直線状の折り曲げ線よりも第１側壁部１１ａ側に、切れ込み１９が形成されている。この切れ込み１９は第１側壁部１１ａの上端と下端との間に形成され、より具体的には第１側壁部１１ａの上端と下端との間を二分する中央部に形成されている。また、切れ込み１９は、糊代部１８と第１側壁部１１ａとの間の直線状の折り曲げ線に略平行に形成されている。切れ込み１９の長さは包装用容器の大きさにもよるが、約５ｍｍ〜約１５ｍｍ、図示した例では約１０ｍｍとしている。図２に示すように切れ込み１９は、糊代部１８と第１側壁部１１ａとの角部に突起２０を形成するためのものであり、該突起２０の先端に相当する切れ込み１９は、ユーザの指先に引っかかり得る長さとして上記長さに定めることができる。
【００１８】
切れ込み１９は、糊代部１８と第１側壁部１１ａとの間の直線状の折り曲げ線から第１側壁部１１ａ側に、約１ｍｍ離れた位置に形成することができる。この折り曲げ線からの切れ込み１９の距離が、図２の突起２０の高さに相当する。したがって、該突起２０の先端に相当する切れ込み１９は、ユーザの指先に引っかかり得る高さとして上記距離に定めることができる。
【００１９】
切れ込み１９の一端に接続して第１のミシン目２１が糊代部１８に形成され、切れ込み１９の他端に接続して第２のミシン目２２が糊代部１８に形成されている。
【００２０】
第１のミシン目２１は、切れ込み１９の一端に接続し糊代部１８と第１側壁部１１ａとの間の直線状の折り曲げ線上に延びる第１直線部２１ａと、この第１直線部２１ａに接続し、第１直線部２１ａの延伸方向から傾斜した方向に延びる第２直線部２１ｂとを有している。第２直線部２１ｂは糊代部１８の端部、図示した例では糊代部１８の長手方向端部まで延びている。第１直線部２１ａの延伸方向と第２直線部２１ｂの延伸方向とがなす角度は、好ましくは鈍角である。
【００２１】
第２のミシン目２２は、切れ込み１９の一端に接続し糊代部１８と第１側壁部１１ａとの間の直線状の折り曲げ線上に延びる第１直線部２２ａと、この第１直線部２２ａに接続し、第１直線部２２ａの延伸方向から傾斜した方向に延びる第２直線部２２ｂとを有している。第２直線部２２ｂは糊代部１８の端部、図示した例では糊代部１８の長手方向端部まで延びている。第１直線部２２ａの延伸方向と第２直線部２２ｂの延伸方向とがなす角度は、好ましくは鈍角である。
【００２２】
糊代部１８は、第１のミシン目２１と第２のミシン目２２とにより３つの領域に区分されている。これらの領域のうち、糊代部１８の上端と第１のミシン目２１の第２直線部２１ｂと折り曲げ線で囲われた領域を第１領域１８ａとし、第１のミシン目２１の第２直線部２１ｂと第２のミシン目２２の第２直線部２２ｂとで挟まれた領域を第２領域１８ｂとし、糊代部１８の下端と第２のミシン目２２の第２直線部２２ｂと折り曲げ線で囲われた領域を第３領域１８ｃとする。糊代部１８と第４側壁部１１ｄの裏面とを接着する糊等の接合材は、第２領域１８ｂのみに付着させるものとし、第１領域１８ａ及び第３領域１８ｃには付着させないようにする。
【００２３】
本実施形態の包装用容器１０の斜視図を示す図２において、切れ込み１９は突起２０の先端として角部に突出している。したがって、ユーザは包装用容器１０の展開時には、この突起２０に指を引っかけて、突起２０を起点に第４側壁部１１ｄを第１側壁部１１ａから引きはがすように当該角部を開くことができる。
【００２４】
また、切れ込み１９の一方の端に第１のミシン目２１の第１直線部２１ａが、他方の端に第２のミシン目２２の第１直線部２２ａが、それぞれ接続しているから、ユーザの包装用容器１０の展開時には、角部に形成されている第１直線部２１ａ、第１直線部２２ａに沿ってミシン目が容易に破れ、当該角部での裂け目が拡大し、糊代部１８と第１側壁部１１ａとの分離を容易にしている。
【００２５】
更に第１のミシン目２１の第１直線部２１ａに第２直線部２１ｂが接続し、第２のミシン目２２の第１直線部２２ａに第２直線部２２ｂが、それぞれ接続しているから、ユーザの包装用容器１０の展開時には、第１直線部２１ａ、２２ａのミシン目の破れに引き続いてに第２直線部２１ｂ、２２ｂが容易に破れ、糊代部１８を横切るように裂け目が拡大し、糊代部１８と第１側壁部１１ａとの分離を容易にしている。
【００２６】
糊代部１８は、第２領域１８ｂのみに糊等が形成されているから、ユーザの包装用容器１０の展開により、第２直線部２１ｂ、第２直線部２２ｂのミシン目が破れた後は、第２領域１８ｂは第４側壁部１１ｄの裏面に残存し、第１領域１８ａ及び第３領域１８ｃは、第１側壁部１１ａに接続している。
【００２７】
したがって、包装用容器１０は、切れ込み１９、第１のミシン目２１及び第２のミシン目２２に沿って分離され、容易に展開することができ、ひいては裏面に記載された文字メッセージ等を容易に読むことができる。
【００２８】
また、包装用容器１０を展開するための第１のミシン目２１及び第２のミシン目２２は、糊代部１８に形成され、第１側壁部１１ａ〜第４側壁部１１ｄには形成されていないので、容器展開時の裂け目が第１側壁部１１ａ〜第４側壁部１１ｄには及ばない。したがって、第１側壁部１１ａ〜第４側壁部１１ｄの裏面に記載された文字メッセージが部分的に読み難くなるのを回避することができる。
【００２９】
また、第１のミシン目２１の第１直線部２１ａ及び、第２のミシン目２２の第１直線部２２ａは、角部の折り曲げ線に沿って延びているから、糊代部１８の第２領域１８ｂの面積を十分に確保することができる。したがって、第２領域に付着される接着剤による接着強度を十分に確保することができ、換言すれば従来の包装用容器と比べて接着強度の低下を懸念する必要がない。
【００３０】
また、第１のミシン目２１の第２直線部２１ｂは、第１直線部２１ａに対し鈍角に接続し、同様に第２のミシン目２２の第２直線部２２ｂは、第１直線部２２ａに対し鈍角に接続しているから、第１直線部２１ａ、２１ａから広がる裂け目が第２直線部２１ｂ、２２ｂに容易に移動する。また、鈍角に接続することは、ミシン目にとって容易に、糊代部１８の第２領域１８ｂの面積を十分に確保しつつ、第１領域１８ａと第２領域１８ｂとの分離、及び第２領域１８ｂと第３領域１８ｃとの分離を確実にしている。
【００３１】
本実施形態の包装用容器１０は、図１の展開図からも明らかなように、１枚のシート（ブランク）から構成される。このシートは代表的には紙製であるが、紙製のものに限定されず、プラスチックやラミネート材等であってもよい。
【００３２】
図１及び図２に示した本実施形態の包装用容器１０を組み立てる方法は、シートから図１に示した展開図のブランク形状に加工する工程と、図１に示した展開図に従って折り線を形成し又は折り重ねる工程と、糊代部１８と第１側壁部１１ａとを糊（接着剤）で接着する工程とを含む。これらの工程は、上記の工程順に限定されない。糊代部１８と第１側壁部１１ａとを糊で接着する工程は、糊代部１８及び第１側壁部１１ａのいずれか一方又は両方に糊を付着させることを含む。これらの工程は製函機で実施できる。本実施形態の包装用容器は、製函機で製造することが可能であり、よって製函機での自動化により手作業が不要である。
【００３３】
本実施形態の包装用容器１０は、未使用時は平たく扁平状に折り畳まれた状態にすることができ、よって包装用容器１０自体の保管、輸送時にかさばることがない。
【００３４】
本発明の包装用容器は、図１及び図２に示した実施形態に限られず、本発明の趣旨を逸脱しない限り、幾多の変形が可能である。例えば、切れ込み１９は、第１側壁部１１ａの上端と下端との間の中央部に位置するものに限られず、中央部から上側寄り又は下側寄りの位置に形成されていてもよい。また、第１のミシン目２１の第１直線部２１ａ及び第２のミシン目２２の第１直線部２２ａは、第１側壁部１１ａと糊代部１８との間の折り曲げ線上に位置する場合に限られず、当該折り曲げ線よりも糊代部１８側の位置に形成されていてもよく、また、当該折り曲げ線と平行な直線に限られず、平行でない直線でもよい。更に、第１のミシン目２１の第２直線部２１ｂ及び第２のミシン目２２の第２直線部２２ｂは、直線に限られず、曲線であってもよい。
【符号の説明】
【００３５】
１０…包装用容器、１１ａ…第１側壁部、１１ｂ…第２側壁部、１１ｃ…第３側壁部、１１ｄ…第４側壁部、１２…上蓋部、１３…底蓋部、１８…糊代部、１９…切れ込み、２０…突起、２１…第１のミシン目、２１ａ…第１直線部、２１ｂ…第２直線部、２２…第２のミシン目、２２ａ…第１直線部、２２ｂ…第２直線部
【図１】
2017030820.tif 000003
【図２】
2017030820.tif 000004